(57)【要約】【課題】コストが高くならずにストロボ露光量のコントロールが可能なストロボ発光装置及び該ストロボ発光装置付きカメラを提供することである。【解決手段】このストロボ発光装置にあっては、ストロボ発光部７の前面にＬＣＤ１０が配置されている。このＬＣＤ１０は、被写体に対する必要発光量によりＣＰＵ１及びＬＣＤ制御装置９によって駆動され、上記ストロボ発光部７からの光量が制限される。【選択図】　　図１
2004037729.tif 000002
【特許請求の範囲】
【請求項１】
ストロボ発光部と、
上記ストロボ発光部前面に配置されたＬＣＤと、
被写体に対する必要発光量により上記ＬＣＤを駆動し、上記ストロボ発光部からの光量を制限する制御手段と、
を具備することを特徴とするストロボ発光装置。
【請求項２】
上記ＬＣＤは複数の点灯セグメントを有し、上記複数の点灯セグメントが点灯駆動されると上記点灯セグメントにより光の透過光量を減らすことを特徴とする請求項１に記載のストロボ発光装置。
【請求項３】
ストロボ発光部と、
上記ストロボ発光部前面に配置されたＬＣＤと、
被写体の輝度を測光する測光手段と、
被写体までの距離を測距する測距手段と、
上記測距手段の結果と上記露出手段の結果から、上記ストロボ発光部からの発光光量が被写体に対して適正であるか否かを判断し、発光光量が被写体に対して過剰であると判断した場合は上記ＬＣＤを点灯駆動して、上記発光光量を減らす制御手段と、
を具備することを特徴とするストロボ発光装置付きカメラ。
【請求項４】
ストロボ発光部と、
上記ストロボ発光部前面に配置されたＬＣＤと、
被写体の輝度を測光する測光手段と、
上記測光手段からの出力に基いて撮像媒体に被写体光を露出する露出手段と、
被写体までの距離を測距する測距手段と、
上記測距手段の結果と上記露出手段の結果から、上記ストロボ発光部からの発光光量が被写体に対して適正であるか否かを判断し、発光光量が被写体に対して過剰であると判断した場合は上記ＬＣＤを点灯駆動して、上記発光光量を減らす制御手段と、
を具備することを特徴とするストロボ発光装置付きカメラ。
【発明の詳細な説明】
【０００１】
【発明の属する技術分野】
この発明はストロボ発光装置及びストロボ発光装置付きカメラに関するもので、より詳細には、フル発光時にもその発光光量を制御することの可能なストロボ発光装置及びストロボ発光装置付きカメラに関するものである。
【０００２】
【従来の技術】
従来、カメラのストロボ装置は、電気回路に工夫をして、ストロボ露光量をコントロールしてきた。そして、その手段として、ストロボの発光時間をコントロールするガイドナンバ制御や、シャッタの絞りをコントロールしてフィルムに到達するストロボ光量を制御するフラッシュマチック制御等が、一般的に知られている。
【０００３】
例えば特開平５−８８２４１号公報には、フラッシュマチック制御とガイドナンバ制御可能なカメラに於いて、測距情報に応じてフラッシュマチックかガイドナンバかを選択するストロボ内蔵カメラが開示されている。
【０００４】
【発明が解決しようとする課題】
しかしながら、上述した特開平５−８８２４１号に記載のストロボ装置では、高価な部品を使用しなければならず、コストが高い回路となる。そのため、この回路を使用するストロボ発光装置全体としても、コストが高くなってしまうという課題を有していた。
【０００５】
この発明は上記課題に鑑みてなされたものであり、コストが高くならずにストロボ露光量のコントロールが可能なストロボ発光装置及び該ストロボ発光装置付きカメラを提供することを目的とする。
【０００６】
【課題を解決するための手段】
すなわちこの発明は、ストロボ発光部と、上記ストロボ発光部前面に配置されたＬＣＤと、被写体に対する必要発光量により上記ＬＣＤを駆動し、上記ストロボ発光部からの光量を制限する制御手段と、を具備することを特徴とする。
【０００７】
またこの発明は、ストロボ発光部と、上記ストロボ発光部前面に配置されたＬＣＤと、被写体の輝度を測光する測光手段と、被写体までの距離を測距する測距手段と、上記測距手段の結果と上記露出手段の結果から、上記ストロボ発光部からの発光光量が被写体に対して適正であるか否かを判断し、発光光量が被写体に対して過剰であると判断した場合は上記ＬＣＤを点灯駆動して、上記発光光量を減らす制御手段と、を具備することを特徴とする。
【０００８】
更に、この発明は、ストロボ発光部と、上記ストロボ発光部前面に配置されたＬＣＤと、被写体の輝度を測光する測光手段と、被写体までの距離を測距する測距手段と、上記測距手段の結果と上記露出手段の結果から、上記ストロボ発光部からの発光光量が被写体に対して適正であるか否かを判断し、発光光量が被写体に対して過剰であると判断した場合は上記ＬＣＤを点灯駆動して、上記発光光量を減らす制御手段と、を具備することを特徴とする。
【０００９】
この発明によるストロボ発光装置にあっては、ストロボ発光部前面にＬＣＤが配置されており、被写体に対する必要発光量により上記ＬＣＤが制御手段によって駆動され、上記ストロボ発光部からの光量が制限される。
【００１０】
またこの発明のストロボ発光装置付きカメラに於いては、ストロボ発光部の前面にＬＣＤが配置される。そして、被写体の輝度は測光手段で測光され、測距手段によって被写体までの距離が測距される。更に、上記測距手段の結果と上記露出手段の結果から、上記ストロボ発光部からの発光光量が被写体に対して適正であるか否かが制御手段にて判断され、発光光量が被写体に対して過剰であると判断された場合は上記ＬＣＤが点灯駆動されて、上記発光光量が減らされる。
【００１１】
更にこの発明のストロボ発光装置付きカメラに於いては、ストロボ発光部の前面にＬＣＤが配置される。そして、被写体の輝度は測光手段で測光され、この測光手段からの出力に基いて、露出手段にて撮像媒体に被写体光が露出され、測距手段によって被写体までの距離が測距される。更に、上記測距手段の結果と上記露出手段の結果から、上記ストロボ発光部からの発光光量が被写体に対して適正であるか否かが制御手段にて判断され、発光光量が被写体に対して過剰であると判断された場合は上記ＬＣＤが点灯駆動されて、上記発光光量が減らされる。
【００１２】
【発明の実施の形態】
以下、図面を参照して、この発明の実施の形態を説明する。
【００１３】
図１はこの発明の第１の実施の形態を示したものであり、ストロボ発光装置が適用されたカメラの概略構成を示すブロック図である。
【００１４】
図１に於いて、ＣＰＵ１は、このカメラの全体の動作を制御するための制御手段であり、マイクロコンピュータ等で構成される。このＣＰＵ１には、測光部２と、測距部３と、露出部５と、ストロボ回路６と、ＬＣＤ制御装置９と、シャッタドライバ１１と、巻上げ部１３と、パワースイッチ（ＳＷ）１５及びレリーズスイッチ（ＳＷ）１６とが接続されている。
【００１５】
上記測光部２は、図示されない被写体の輝度を測定するためのものであり、ＡＥ駆動回路等を有している。また、測距部３は、このカメラから被写体までの距離を測定するためのものであり、例えばＡＦ駆動回路等を有して成る。更に、露出部５は、上記測光部２にて測定された輝度に基いて、図示されないフィルムに露光を行うためのものである。
【００１６】
上記ストロボ回路６は、ストロボ発光部７の発光動作を制御する回路である。ストロボ発光部７は、ＣＰＵ１及びストロボ回路６の駆動制御に基いて、被写体に対して補助光を照射する。
【００１７】
ＬＣＤ制御装置９は、ＣＰＵ１からの指示に基いてＬＣＤ１０の駆動制御を行うためのものである。ＬＣＤ１０は、所定の電圧が印加されることによって透光／遮光状態が切り替わる表示装置である。同実施の形態に於いては、ネガＬＣＤを使用しているので、電圧が印加されている場合は遮光状態となり、印加されていない場合は透光状態となる。
【００１８】
上記シャッタドライバ１１は、シャッタ１２を含むシャッタ機構の駆動制御を行うためのものである。このシャッタドライバ１１がシャッタ１２の開閉時間を制御することによって、図示されないフィルムに被写体像が写し込まれる。
【００１９】
また、巻上げ部１３は、カメラ内に装填された図示されないフィルムを巻上げるためのものである。
【００２０】
上記パワースイッチ１５は、このカメラの主電源をオン、オフするためのスイッチである。レリーズスイッチ１６は、このカメラの撮影操作を行うためのスイッチである。
【００２１】
図２は、第１の実施の形態に於けるカメラの外観構成を示した斜視図である。
【００２２】
カメラ本体２０の前面部の略中央には、撮影レンズ２１が設けられている。そして、図２に於いて、カメラ本体２０の前面部の右上部には、ストロボパネル２２が取付けられている。このストロボパネル２２の内側には、ストロボ発光部７が設けられている。
【００２３】
また、カメラ本体２０の上面部には、上述したレリーズスイッチ１６が設けられている。
【００２４】
図３は、図２に示されたストロボ発光部の構成を拡大して示したもので、（ａ）は外観斜視図、（ｂ）は縦断面図である。
【００２５】
このストロボ発光部は、閃光発光管であるキセノン（Ｘｅ）管２８を有している。このキセノン管２４は、反射傘２５を介して内装部材２７に、ゴムバンド２８によって固定されている。
【００２６】
反射傘２５は、上記キセノン管２４による発光（補助光）を前方へ反射するために設けられているもので、これにより、ストロボ発光部の窓に相当するストロボパネル２２を介して、補助光がカメラ本体２０の前方に存在する被写体（図示せず）に照射されるようになっている。また、反射傘の板材端面２５ａは、ストロボパネル２２の端部に対応する位置に設けられている。
【００２７】
ストロボパネル２２はＬＣＤにより構成されるもので、キセノン管２４の前方に配置されてカメラ外装（本体）２０により固定されている。このストロボパネル２２にはフレキシブル基板２９が接続されており、図示されない電気回路からの指示によって、透過状態と遮光状態が切り替えられる。
【００２８】
次に、図４のフローチャートを参照して、第１の実施の形態に於けるカメラの一般的な動作について説明する。
【００２９】
図示されない電池がカメラ本体２０内に投入されると、先ずステップＳ１に於いてカメラのイニシャライズが行われる。これにより、ＣＰＵ１内の図示されないＲＡＭやフラグ類の初期化が行われる。
【００３０】
この初期化の後、ステップＳ２に移行して、パワースイッチ１５の状態が検出される。ここで、パワースイッチ１５がオフ状態であれば、オンになるまで待機する。そして、パワースイッチ１５がオン状態になれば、カメラのスタンバイ状態となってステップＳ３に移行する。
【００３１】
ステップＳ３では、ストロボの充電が行われる。次いで、ステップＳ４にて、レリーズスイッチ１６の状態が検出される。ここで、レリーズスイッチ１６がオンされると、ステップＳ５に移行する。
【００３２】
このステップＳ５では測光部２による測光処理が行われ、続くステップＳ６では測距部３によって測距処理が行われる。更に、ステップＳ７では、上記ステップＳ５及びＳ６で得られた情報を基に、ＡＥ演算が実行される。
【００３３】
そして、ステップＳ８にて露出部５にて露出動作が行われ、ステップＳ９にて巻上げ部１３によるフィルム巻上げが実行される。その後、上記ステップＳ３に移行する。
【００３４】
次に、上述したＡＥ演算の詳細な動作を、図５のフローチャートを参照して説明する。
【００３５】
図５は、図４のフローチャートのステップＳ７に於けるサブルーチン「ＡＥ演算」の処理動作を説明するフローチャートである。
【００３６】
このサブルーチン「ＡＥ演算」に入ると、先ず、ステップＳ１１にて絞り値（ＦＮＯ）がＡＶ値に変換される。同様に、ステップＳ１２にて、図４のフローチャートに於けるステップＳ５で得られた測光値がＢＶ値に変換される。
【００３７】
そして、ステップＳ１３にて、上記ステップＳ１２で得られたＢＶ値とＳＶ値（ＩＳＯ感度）より、ＥＶ値が算出される。更に、ステップＳ１４では、上記ステップＳ１１で得られたＡＶ値とステップＳ１３にて算出されたＥＶ値とから、ＴＶ値が算出される。
【００３８】
次いで、ステップＳ１５にて、露出秒時が、上記ステップＳ１４で算出されたＴＶ値を基に算出される。
【００３９】
ステップＳ１６に於いては、被写体距離情報からストロボが発光した場合に、被写体に過剰な光量を与え過ぎないかが判断される。ここで、ストロボ発光部７による発光はフル発光のみであるので、被写体に近過ぎる距離では露出がオーバする。したがって、この露出オーバか否かを判断するためのスレッシュが設けられる。
【００４０】
すなわち、ステップＳ１６にてストロボ発光部７による被写体に与えるストロボ光が、適正より小さくなる被写体距離であれば、ＬＣＤ１０は点灯されない。したがって、図６（ａ）に示されるように、透過状態となってストロボ光が被写体に照射される。
【００４１】
一方、ストロボ発光部７による被写体に与えるストロボ光が、適正よりオーバしてしまう被写体距離であれば、ステップＳ１７に移行して、ＬＣＤ１０の点灯が行われる。これにより、図６（ｂ）に示されるように、遮光状態となって、被写体に対してストロボ光は僅かに漏れる光量だけが照射されることになる。
【００４２】
尚、ここでは、斜線で示される部分がＬＣＤの点灯により遮光された部分を表すものとする。
【００４３】
図７は、第１の実施の形態に於ける動作を説明するタイミングチャートである。尚、ここでは、ＬＣＤが点灯する場合の例を表している。
【００４４】
図４のフローチャートに於けるステップＳ７でＡＥ演算が行われている間に、ＬＣＤ１０が点灯されて遮光状態となる。そして、ステップＳ８の露出処理に入ると、プランジャ（図示せず）がオンされてシャッタの開口駆動が開始される。
【００４５】
そして、所定の時間が経過すると、ＣＰＵ１よりストロボ回路部に発光命令が出され、ストロボ発光部７内のキセノン管２４が発光され、図示されない被写体に向けて照射される。このとき、ＬＣＤ１０の点灯によってＬＣＤパネル２２が遮光状態となっているので、実際に照射される発光光量は、ストロボ発光部７のフル発光時の光量よりも制限されたものとなる。
【００４６】
その後、ＬＣＤ１０が消灯されると、ステップＳ８のフィルム巻上げ処理に移行する。
【００４７】
尚、ＬＣＤ１０の点灯タイミングは、レリーズスイッチ１６がオンされてからストロボ発光部７のキセノン管２４が発光する間であれば、何時でも良い。
【００４８】
また、ＬＣＤ１０の消灯タイミングは、ストロボ発光部１０が完全に発光を終了してからメインシーケンスに戻るまでのタイミングであれば、何時でも良い。
【００４９】
このように、第１の実施の形態によれば、簡易な構成でストロボの露光量を制限することができるストロボ発光装置を有するカメラを提供することができる。
【００５０】
次に、この発明の第２の実施の形態について説明する。
【００５１】
この第２の実施の形態は、上述した第１の実施の形態がＬＣＤを点灯／消灯させてストロボの発光光量を制限していたのに対し、ＬＣＤのセグメントを分割して制御することによってストロボの発光光量を３段階に切り替えるようにしている。
【００５２】
尚、この第２の実施の形態に於いて、その構成及びメインシーケンスの動作は上述した第１の実施の形態と同じであるので説明は省略する。
【００５３】
図８は、第２の実施の形態に於ける図４のフローチャートのステップＳ７のサブルーチン「ＡＥ演算」の処理動作を説明するフローチャートである。
【００５４】
このサブルーチン「ＡＥ演算」に入ると、先ず、ステップＳ２１にて絞り値（ＦＮｏ．）がＡＶ値に変換される。同様に、ステップＳ２２にて、図４のフローチャートに於けるステップＳ５で得られた測光値がＢＶ値に変換される。
【００５５】
そして、ステップＳ２３にて、上記ステップＳ１２で得られたＢＶ値とＳＶ値（フィルム感度）より、ＥＶ値が算出される。更に、ステップＳ２４では、上記ステップＳ２１で得られたＡＶ値とステップＳ１３にて算出されたＥＶ値とから、ＴＶ値が算出される。
【００５６】
次いで、ステップＳ２５にて、露出秒時が、上記ステップＳ２４で算出されたＴＶ値を基に算出される。
【００５７】
ステップＳ２６に於いては、被写体距離情報からストロボが発光した場合に、被写体に過剰に光量を与えすぎないかが判断される。ここで、ストロボ発光部７による発光はフル発光のみであるので、被写体に近過ぎる距離では露出がオーバする。したがって、この露出オーバか否かを判断するためのスレッシュが設けられる。
【００５８】
すなわち、ステップＳ２６にてストロボ発光部７による被写体に与えるストロボ光が、適正より小さくなる被写体距離であれば、ＬＣＤ１０は点灯されない。したがって、図９（ａ）に示されるように、透過状態となってストロボ光が被写体に照射される。
【００５９】
一方、ストロボ発光部７による被写体に与えるストロボ光が、適正よりオーバしてしまう被写体距離であれば、ステップＳ２７に移行して、更に細かくストロボの光量のオーバ度が判断される。ここで、被写体距離が２ｍより遠い場合は、ストロボ光オーバ度は、「ストロボ光はオーバするが、ある程度ストロボ光を与えたい距離である」と判断されて、ステップＳ２８に移行して、図９（ｂ）に示されるように、ＬＣＤ１０が全体の半分だけ点灯（半点灯）される。すなわち、ストロボのフル発光に対して、略半分の光量が被写体に対して照射されることになる。
【００６０】
更に、上記ステップＳ２７にて、被写体距離が２ｍより近い場合は、「被写体にストロボ光をなるべく与えたくない距離である」と判断されて、ステップＳ２９へ移行して、全てのＬＣＤ１０の点灯が行われる。これにより、図９（ｃ）に示されるように、遮光状態となって、被写体に対してストロボ光は僅かに漏れる光量だけが照射されることになる。
【００６１】
尚、この第２の実施の形態に於いても、図９及び図１０にて斜線で示される部分がＬＣＤの点灯により遮光された部分を表すものとする。
【００６２】
図１０は、第２の実施の形態に於ける図８のフローチャートのステップＳ２８で実行されるＬＣＤの半点灯セグメント配置の例を示した図である。
【００６３】
図１０（ａ）に示されるＬＣＤは格子状にセグメントが配置されているが、実際には、隣接するセグメントはセグメント１０ａによって接続されていて、全体で１つのセグメントを構成している。
【００６４】
また、ＬＣＤの半点灯セグメント配置は、図１０（ａ）に示される格子状に配置された例だけでなく、（ｂ）や（ｃ）に示されるような、複数のバリエーションが可能である。
【００６５】
このように、第２の実施の形態によれば、簡易な構成でストロボの露光量を複数の段階に制限することができるストロボ発光装置を有するカメラを提供することができる。
【００６６】
尚、図８のフローチャートに於けるステップＳ２６及びＳ２７に於いて、ＬＣＤの点灯条件は、距離情報に関連したものに限らず、数値を変更可能である。例えば、ＩＳＯ条件やＦＮＯや露光量の条件を考慮するようにしても良い。
【００６７】
また、上述した実施の形態に於いては、ＬＣＤは点灯時に遮光状態、消灯時に透過状態として説明したが、これに限られるものではない。
【００６８】
尚、この発明の上記実施の形態によれば、以下の如き構成を得ることができる。
【００６９】
すなわち、
（付記項１）　ストロボ発光部を有し、必要ストロボ光量を演算する演算部とを備えるカメラに於いて、
上記ストロボ発光部の前面に設置されたＬＣＤと、
発光予定ストロボ光量が上記必要ストロボ光量よりオーバする場合に上記ＬＣＤを点灯制御する制御手段と、
を具備することを特徴とするカメラ。
【００７０】
（付記項２）　上記ＬＣＤは複数のセグメントを有し、
上記制御手段は、上記ＬＣＤを通過するストロボ光量を複数レベルに切り替えが可能であり、必要ストロボ光量に従って上記ＬＣＤの点灯セグメントを切り替えることを特徴とする付記項１に記載のカメラ。
【００７１】
【発明の効果】
以上のようにこの発明によれば、コストが高くならずにストロボ露光量のコントロールが可能なストロボ発光装置及び該ストロボ発光装置付きカメラを提供することができる。
【図面の簡単な説明】
【図１】この発明の第１の実施の形態を示したものであり、ストロボ発光装置が適用されたカメラの概略構成を示すブロック図である。
【図２】第１の実施の形態に於けるカメラの外観構成を示した斜視図である。
【図３】図２に示されたストロボ発光部の構成を拡大して示したもので、（ａ）は外観斜視図、（ｂ）は縦断面図である。
【図４】第１の実施の形態に於けるカメラの一般的な動作について説明するフローチャートである。
【図５】図４のフローチャートのステップＳ７に於けるサブルーチン「ＡＥ演算」の処理動作を説明するフローチャートである。
【図６】第１の実施の形態に於けるＬＣＤの状態を示すもので、（ａ）は消灯時の透過状態を示した図、（ｂ）は点灯時の遮光状態を示した図である。
【図７】第１の実施の形態に於ける動作を説明するタイミングチャートである。
【図８】第２の実施の形態に於ける図４のフローチャートのステップＳ７のサブルーチン「ＡＥ演算」の処理動作を説明するフローチャートである。
【図９】第２の実施の形態に於けるＬＣＤの状態を示すもので、（ａ）は消灯時の透過状態を示した図、（ｂ）は半点灯時の状態を示した図、（ｃ）は全点灯時の遮光状態を示した図である。
【図１０】第２の実施の形態に於ける図８のフローチャートのステップＳ２８で実行されるＬＣＤの半点灯セグメント配置の例を示した図である。
【符号の説明】
１　ＣＰＵ、
２　測光部、
３　測距部、
５　露出部、
６　ストロボ回路、
７　ストロボ発光部、
９　ＬＣＤ制御装置、
１０　ＬＣＤ、
１１　シャッタドライバ、
１２　シャッタ、
１３　巻上げ部、
１５　パワースイッチ（ＳＷ）、
１６　レリーズスイッチ（ＳＷ）。
【図１】
2004037729.tif 000003
【図２】
2004037729.tif 000004
【図３】
2004037729.tif 000005
【図４】
2004037729.tif 000006
【図５】
2004037729.tif 000007
【図６】
2004037729.tif 000008
【図７】
2004037729.tif 000009
【図８】
2004037729.tif 000010
【図９】
2004037729.tif 000011
【図１０】
2004037729.tif 000012